(57)【特許請求の範囲】
【請求項１】
受光素子の出力を増幅する初段増幅器に、キャンセル値記録部に記録されている記録値を読出し、読出した記録値をアナログ値に変換して前記初段増幅器に加えてオフセットを除去するようにした光ディスクドライブのオフセット調整装置であって、
前記初段増幅器よりの出力信号をディジタル値に変換するアナログ／ディジタル変換部と、
前記初段増幅器の出力と前記アナログ／ディジタル変換部との間に設けた増幅器と、
前記増幅器の入力電圧を０電圧に設定する０電圧設定部とを有し、
前記初段増幅器のオフセット調整に先だって、前記０電圧設定部を動作させて前記増幅器のオフセット値を記録し、該０電圧設定部を解除させた後に、該初段増幅器のオフセット調整を開始し、該記録された増幅器のオフセット値をオフセット調整時の前記アナログ／ディジタル変換部よりの出力値より減ずるようにしたことを特徴とするオフセット調整装置。
【請求項２】
前記増幅器のオフセット値が前記アナログ／ディジタル変換部でＡ／Ｄ変換された値をＡとして、前記初段増幅器に加えてオフセットを除去する記録値を発生させた状態で該アナログ／ディジタル変換部で変換された値をＢとしたときに、該初段増幅器のオフセット値から該増幅器のオフセット値を減じた｜Ｂ−Ａ｜の値が所定範囲内にあるか否かを判定する判定手段と、
光ディスクドライブへの通信手段を有し、
前記判定手段の判定値が所定範囲内でないときはＢ−Ａの正負に応じて前記記録値を増減させる値を前記通信手段介して送信し、
前記判定手段の判定値が所定範囲内であるときは前記初段増幅器のオフセット調整が適正と判断して前記通信手段を介して前記キャンセル値記録部に適正な記録値を記録させるようにしたことを特徴とする請求項１記載のオフセット調整装置。
【請求項３】
前記増幅器のオフセット値の記録動作と、前記初段増幅器のオフセット調整動作を選択的に行うようにしたことを特徴とする請求項１または２記載のオフセット調整装置。
【発明の詳細な説明】
【０００１】
【発明の属する技術分野】
本発明は光ディスクドライブの受光素子および初段増幅器のオフセットを除去するオフセット調整装置に関する。
【０００２】
【従来の技術】
光ディスクに情報の書込読出を行う光ディスクドライブにおいては、光ディスクに照射したレーザ光の反射光を受光する複数の受光素子が設けられており、受光素子よりの出力を初段増幅器で増幅してＲＦ信号、フォーカス信号、トラッキング信号等を得ている。
【０００３】
この受光素子には暗電流によるオフセットが発生し、また初段増幅器にもオフセットが発生する。
このようなオフセットが発生するとＲＦ信号、フォーカス信号、トラッキング信号等に誤差が含まれ、誤った信号が再生されたり、誤った制御が行われ、オフセットを除去することが必要である。
【０００４】
従来、このようなオフセットを除去する方法として、可変抵抗器を介して初段増幅器に電圧を加え、可変抵抗器の抵抗値を変化させてオフセットをキャンセルするようにしていた。
【０００５】
【発明が解決しようとする課題】
この工程は製造の組立工程において行われていたが、調整工数が増して高価な物となっていた。
本発明は低コストで容易にオフセットを調整できるようにしたオフセット調整装置を提供することを課題とする。
【０００６】
【課題を解決するための手段】
請求項１の発明においては、受光素子の出力を増幅する初段増幅器に、キャンセル値記録部に記録されている記録値を読出し、読出した記録値をアナログ値に変換して前記初段増幅器に加えてオフセットを除去するようにした光ディスクドライブのオフセット調整装置であって、
前記初段増幅器よりの出力信号をディジタル値に変換するアナログ／ディジタル変換部と、
前記初段増幅器の出力と前記アナログ／ディジタル変換部との間に設けた増幅器と、
前記増幅器の入力電圧を０電圧に設定する０電圧設定部とを有し、
前記初段増幅器のオフセット調整に先だって、前記０電圧設定部を動作させて前記増幅器のオフセット値を記録し、該０電圧設定部を解除させた後に、該初段増幅器のオフセット調整を開始し、該記録された増幅器のオフセット値をオフセット調整時の前記アナログ／ディジタル変換部よりの出力値より減ずるようにしたことを特徴とする。
【０００７】
請求項２の発明においては、請求項１の発明であって、前記増幅器のオフセット値が前記アナログ／ディジタル変換部でＡ／Ｄ変換された値をＡとして、前記初段増幅器に加えてオフセットを除去する記録値を発生させた状態で該アナログ／ディジタル変換部で変換された値をＢとしたときに、該初段増幅器のオフセット値から該増幅器のオフセット値を減じた｜Ｂ−Ａ｜の値が所定範囲内にあるか否かを判定する判定手段と、
光ディスクドライブへの通信手段を有し、
前記判定手段の判定値が所定範囲内でないときはＢ−Ａの正負に応じて前記記録値を増減させる値を前記通信手段介して送信し、
前記判定手段の判定値が所定範囲内であるときは前記初段増幅器のオフセット調整が適正と判断して前記通信手段を介して前記キャンセル値記録部に適正な記録値を記録させるようにしたことを特徴とする。
【０００８】
請求項３の発明においては、請求項１または２の発明であって、前記増幅器のオフセット値の記録動作と、前記初段増幅器のオフセット調整動作を選択的に行うようにしたことを特徴とする。
【０００９】
【発明の実施の形態】
本発明の実施の形態を図１〜図３を参照して説明する。図１は本発明の実施例の構成図、図２および図３は同実施例の動作フローチャートである。
図１において、１は光ディスクドライブ、２は本発明に係るオフセット調整装置、３はオフセット調整装置２を構成するパーソナルコンピュータである。
【００１０】
光ディスクドライブ１において、１０は受光素子、１１はセレクタ、１２はディジタル／アナログ変換器（Ｄ／Ａ）、１３は初段増幅器、１４はキャンセル値記録部、１５は制御部、１６〜１８はインタフェース（Ｉ／Ｏ）、１９は処理を実行するプロセッサ（ＣＰＵ）である。
【００１１】
受光素子１０は複数に分割され、その出力（ＮＯ．１〜ＮＯ．Ｎ）はセレクタに接続されている。
またキャンセル値記録部１４は不揮発性のメモリで構成され、受光素子１０の分割数に対応した数のメモリで構成されている。
【００１２】
光ディスクドライブ１は、動作時には、制御部１５はＩ／Ｏ１７を介してセレクタ１１に指令し、受光素子１０の出力を順次選択して初段増幅器１３に入力させると共に、選択した出力に対応する記録値をキャンセル値記録部１４より読出し、Ｉ／Ｏ１６を介してＤ／Ａ１２に入力し、Ｄ／Ａ１２よりの出力を初段増幅器１３に入力してオフセットをキャンセルさせる。
【００１３】
またオフセット調整装置２において、２０は０電圧設定部、２１は増幅器、２２はアナログ／ディジタル変換器（Ａ／Ｄ）である。
またパーソナルコンピュータ３において、３１はキャンセル値生成部、３２は入力部、３３は表示部、３４は制御部、３５〜３７はインタフェース（Ｉ／Ｏ）、３８は処理を実行するプロセッサ（ＣＰＵ）である。
【００１４】
つぎに、図２および図３を参照して、本発明の動作を説明する。
ステップＳ１においては、パーソナルコンピュータ３の制御部３４は、Ｉ／Ｏ３５を介して０電圧設定部２０に指令して、０電圧の設定を行わせる。
０電圧の設定は、例えば、初段増幅器１３と増幅器２１との信号線をオープンにするか、増幅器２１の入力をショートする等により、増幅器２１の入力電圧を０電圧とする。
【００１５】
ステップＳ２では、キャンセル値生成部３１は、Ａ／Ｄ２２より出力される増幅器２１のオフセット値（Ａ）を図示しないメモリに記録する。
ステップＳ３では、制御部３４は、ステップＳ１で０電圧設定部２０に指令した０電圧設定を解除させる。
【００１６】
ステップＳ４では、キャンセル値生成部３１は、Ｉ／Ｏ３６を介して光ディスクドライブ１に対して受光素子ＮＯ．１の接続を指令する。
この指令を受けて制御部１５はセレクタ１１に指令して受光素子ＮＯ．１を初段増幅器１３に接続すると共に、キャンセル値記録部１４に記録されている受光素子ＮＯ．１に対する記録値を読出してＤ／Ａ１２に出力する。
【００１７】
ステップＳ５では、キャンセル値生成部３１は、Ａ／Ｄ２２の出力値（Ｂ）を読込み、ステップＳ６に移って、｜Ｂ−Ａ｜の値が所定範囲内、例えば０〜２ｍＶ以内であるか否かを判定し、判定がＹＥＳの場合はステップＳ１５に移り、判定がＮＯの場合はステップＳ７に移る。
【００１８】
ステップＳ７では、キャンセル値生成部３１は、受光素子ＮＯ．１に対するステップＳ６での判定がＮＯとなった回数を計数し、計数値が所定値のＸ回になったか否かを判定し、Ｘ回に達した時はステップＳ８に移って表示部３３に調整異常を表示して調整動作を終了する。
【００１９】
またステップＳ７での判定がＸ回に達していないときはステップＳ９に移り、キャンセル値生成部３１はＢ−Ａが正であるか否かを判定し、正のときはステップＳ１０に移ってキャンセル値−１を生成し、負の場合はステップＳ１１に移ってキャンセル値＋１を生成し、ステップＳ１２に移ってＩ／Ｏ３６を介して光ディスクドライブ１に送出する。
【００２０】
ステップＳ１３では、光ディスクドライブ１の制御部１５は、ステップＳ１２でオフセット調整装置２より転送されたキャンセル値（−１または＋１）をキャンセル値記録部１４の受光素子ＮＯ．１に対する記録値に加算する。
【００２１】
ステップＳ１４では、制御部１５は、キャンセル値記録部１４に記録されている受光素子ＮＯ．１に対する記録値を読出してＩ／Ｏ１６を介してＤ／Ａ１２に送出する。Ｄ／Ａ１２に記録値が転送されると、転送された記録値に対応するアナログ電圧を発生し、初段増幅器１３に出力し、ステップＳ５に移り、ステップＳ５〜Ｓ１４が繰返される。
【００２２】
またステップＳ６で｜Ｂ−Ａ｜が所定範囲内であると判定されたときは、初段増幅器１３のオフセットがキャンセルされたものとしてステップＳ１５に移り、受光素子１０の未調整の受光素子が有るか否かを判定し、未調整の受光素子が有る場合はステップＳ１６に移って次の受光素子（ＮＯ．２〜ＮＯ．Ｎ）への接続指令を送出し、ステップＳ５に移り、ステップＳ５〜Ｓ１６が繰返される。
【００２３】
またステップＳ１５で全ての受光素子の調整が終了したと判定されたときはステップＳ１７に移り、表示部３３に調整ＯＫを表示して動作を終了する。
なお実施例では０電圧設定部２０を動作させて増幅器２１のオフセット値ＡをステップＳ２で記録させるようにしていたが、オフセットが無いテスト用の初段増幅器１３を増幅器２１に接続してオフセット値Ａを記録させるようにしてもよい。
【００２４】
つぎに、図４および図５を参照して、始業時に行う点検動作を説明する。
ステップＳ２０ではシステムチェックが行われ、ステップＳ２１に移って、Ｉ／Ｏ３５〜３７が正常に接続されているか否か、０電圧設定部２０、増幅器２１およびＡ／Ｄ２２が正常に動作するか否かのチェックを行い、正常でない場合はステップＳ２２に移り、正常でない項目を表示する。
【００２５】
ステップＳ２３では、正常でないと表示された項目に対して処置が行われ、対処できない場合は終了し、正常となった場合はステップＳ２４に移る。
ステップＳ２４では前述したオフセット調整動作を行わせるプログラムが記録されているファイルが存在するか否か、ファイルの内容が指定されたものと一致するかのチェックが行われ、ステップＳ２５に移って、チェックがＯＫでない場合はステップＳ２６に移って調整ファイルデフォルトを設定した場合はステップＳ２７に移る。
【００２６】
ステップＳ２７では、始業点検モードと調整モードの選択を行わせ、調整モードを選択した場合は前述した図２〜図３の動作が開始される。
また始業点検モードを選択した場合はステップＳ２８に移り、始業点検項目１の点検が行われ、ステップＳ２９に移って点検ＯＫでない場合はステップＳ３０に移って始業点検異常を表示して終了する。
【００２７】
始業点検項目１がＯＫならばステップＳ３１に移り、始業点検用の予めオフセット値が正確に読み取られている初段増幅器のオフセット電圧を測定し、ステップＳ３２に移って測定したオフセット電圧が予め読み取られているオフセット値と一致するときはステップＳ３３に、一致しないときはステップＳ３０に移る。
【００２８】
ステップＳ３３では始業点検項目２の点検が行われ、ステップＳ３４に移って、点検ＯＫならばステップＳ３５に移って始業点検正常が表示され、ステップＳ２７に移る。また正常でない場合はステップＳ３０に移る。
なお始業点検項目１，２はプログラムバージョンのチェック、測定器の表示チェック、電圧チェック、センサチェック等のチェックが行われる。
【００２９】
【発明の効果】
以上説明したように、初段増幅器よりの出力をディジタル値に変換し、変換されたディジタル値が所定範囲内であるか否かを判定し、所定範囲外であるときはキャンセル値記録部に記録されている記録値をオフセットがキャンセルするよう補正値を生成するようにしたので、低コストで容易にオフセット調整を行わせることができる。
【図面の簡単な説明】
【図１】本発明の実施例の構成図である。
【図２】オフセット調整動作のフローチャートである。
【図３】オフセット調整動作のフローチャートである。
【図４】点検動作のフローチャートである。
【図５】点検動作のフローチャートである。
【符号の説明】
１                光ディスクドライブ
２                オフセット調整装置
３                パーソナルコンピュータ
１０              受光素子
１１              セレクタ
１２              ディジタル／アナログ変換器（Ｄ／Ａ）
１３              初段増幅器
１４              キャンセル値記録部
１５              制御部
１６，１７，１８  インタフェース（Ｉ／Ｏ）
１９              プロセッサ（ＣＰＵ）
２０              ０電圧設定部
２１              増幅器
２２              アナログ／ディジタル変換器（Ａ／Ｄ）
３１              キャンセル値生成部
３２              入力部
３３              表示部
３４              制御部
３５，３６，３７  インタフェース（Ｉ／Ｏ）
３８              プロセッサ（ＣＰＵ）
【図１】
0004031195.tif 000002
【図２】
0004031195.tif 000003
【図３】
0004031195.tif 000004
【図４】
0004031195.tif 000005
【図５】
0004031195.tif 000006